(57)【要約】【課題】  発光面積を広くすることで照度アップと照明の輝度の低減を可能とし、更に従来の構成を大きく変更することなく照明を組み付けることができるインターホン装置の玄関子機を提供する。【解決手段】  照明部５は、円柱状の光透過体５１とその端部に設けられたＬＥＤ５２ａとを有すると共に、光透過体５１は照射されたＬＥＤ５２ａの光が内部で散乱して全体が発光するよう構成され、照明部５はケース１０の左右縁部に縁に沿って縦に配置されている。光透過体５１は照明収容部５ａに収容される一方、ＬＥＤ５２ａは基板５２に組み付けられて、照明収容部５ａに隣接して設けられた基板収容部１１に収容され、光透過体５１の端部に外挿されたパッキン５３により、基板収容部１１は照明収容部５ａから隔離されている。【選択図】  図５
2019047342.tif 000002
【特許請求の範囲】
【請求項１】
来訪者が居住者を呼び出す機能を備えると共に、来訪者を撮像するためのカメラ及び夜間照明のための照明手段を備えたインターホン装置の玄関子機であって、
前記照明手段は、円柱状の光透過体とその端部に設けられた発光素子とを有すると共に、前記光透過体は、照射された前記発光素子の光が内部で散乱して全体が発光するよう構成され、
前記照明手段は、玄関子機ケースの左右縁部の少なくとも一方に、縁に沿って縦に配置されて成ることを特徴とするインターホン装置の玄関子機。
【請求項２】
前記光透過体は、端部にリング状のパッキンが外挿されて前記玄関子機ケースに形成された照明収容部に収容される一方、
前記発光素子は基板に組み付けられて、前記照明収容部に隣接して設けられた前記玄関子機ケースの基板収容部に収容され、その際前記発光素子が前記光透過体の端部に対峙するよう配置されて成り、
更に前記パッキンにより、前記基板収容部は前記照明収容部から隔離されるよう構成されていることを特徴とする請求項１記載のインターホン装置の玄関子機。
【請求項３】
前記光透過体は、前記玄関子機ケースの高さの２分の１以上の長さを有し、前記発光素子は前記光透過体の両端に配置されていることを特徴とする請求項１又は２記載のインターホン装置の玄関子機。
【請求項４】
前記照明手段は、前記玄関子機ケースの左右双方に設けられていることを特徴とする請求項１乃至３の何れかに記載のインターホン装置の玄関子機。
【発明の詳細な説明】
【技術分野】
【０００１】
本発明はインターホン装置の玄関子機に関し、特にカメラ及び照明を備えたインターホン装置の玄関子機に関する。
【背景技術】
【０００２】
来訪者が居住者を呼び出して通話するためのインターホン装置は、呼出操作するために玄関に設置された玄関子機とそれに応答するために住戸内に設置された居室親機とを有しているが、玄関子機には来訪者を撮像するためのカメラを備えて、居室親機に設けたモニタにより来訪者を映像で見ながら呼び出しに応答できるものが普及している。
このカメラを備えた玄関子機は、夜間等暗い状態でもカメラが来訪者を撮像できるよう照明が取り付けられている（例えば、特許文献１参照）が、玄関子機に取り付けられた照明としては、従来赤外線ＬＥＤが広く使われていた。これは、眩しくないため、来訪者にとっては不快に感じることは無かったが、撮像映像はカラー表示できない欠点があった。
【先行技術文献】
【特許文献】
【０００３】
【特許文献１】特開２０１１−７７７７１号公報
【発明の概要】
【発明が解決しようとする課題】
【０００４】
上述したように、赤外線ＬＥＤは眩しくなく来訪者に対しては優しい光源であったが、これをカラー撮像を可能とするために自然光或いは白色光のＬＥＤ光源に変更すると、カラーで来訪者を視認できるため居住者にとっては好ましいが、眩しく感じる強い輝度の照明が必要となるため、来訪者にとっては不快に感じてしまう問題が発生した。
この問題を改善するためには、発光面積を広げた面光源を採用することが考えられるが、玄関子機の限られたスペースに十分な広さの面光源を設けることは難しかった。
【０００５】
そこで、本発明はこのような問題点に鑑み、発光面積を広くすることで照度アップと照明の輝度の低減を可能とし、それでいて従来の構成を大きく変更することなく照明を組み込むことができるインターホン装置の玄関子機を提供することをを目的としている。
【課題を解決するための手段】
【０００６】
上記課題を解決する為に、請求項１の発明は、来訪者が居住者を呼び出す機能を備えると共に、来訪者を撮像するためのカメラ及び夜間照明のための照明手段を備えたインターホン装置の玄関子機であって、照明手段は、円柱状の光透過体とその端部に設けられた発光素子とを有すると共に、光透過体は、照射された発光素子の光が内部で散乱して全体が発光するよう構成され、照明手段は、玄関子機ケースの左右縁部の少なくとも一方に、縁に沿って縦に配置されて成ることを特徴とする。
この構成によれば、照明手段は円柱状の光透過体を有してそれが発光するため、点光源に比べて夜間撮影の際に十分な照度を確保しても眩しさを軽減できる。また、照明手段は玄関子機ケースの縁部に沿って配置されるため、玄関子機ケースのデッドスペースを利用でき玄関子機を大型化することなく設けることが可能となる。
【０００７】
請求項２の発明は、請求項１に記載の構成において、光透過体は、端部にリング状のパッキンが外挿されて玄関子機ケースに形成された照明収容部に収容される一方、発光素子は基板に組み付けられて、照明収容部に隣接して設けられた玄関子機ケースの基板収容部に収容され、その際発光素子が光透過体の端部に対峙するよう配置されて成り、更にパッキンにより、基板収容部は照明収容部から隔離されるよう構成されていることを特徴とする。
この構成によれば、発光素子は、玄関子機ケースの光透過体とは隔離された部屋に配置されるため、照明収容部に雨水が浸入したり結露が発生しても発光素子を雨水等から保護できる。
【０００８】
請求項３の発明は、請求項１又は２に記載の構成において、光透過体は、玄関子機ケースの高さの２分の１以上の長さを有し、発光素子は光透過体の両端に配置されていることを特徴とする。
この構成によれば、広い発光面積を確保できるし、光透過体の両側に光源を備えることで、光透過体を良好に発光させることができる。
【０００９】
請求項４の発明は、請求項１乃至３の何れかに記載の構成において、照明手段は、玄関子機ケースの左右双方に設けられていることを特徴とする。
この構成によれば、玄関子機ケースの左右両端に上下に長い照明手段を設けることで、カメラの両側に照明を配置でき、撮像対象の来訪者に影が出難く、撮像した映像が確認し易い映像となる。
【発明の効果】
【００１０】
本発明によれば、照明手段は円柱状の光透過体を有してそれが発光するため、点光源に比べて夜間撮影の際に十分な照度を確保しても眩しさを軽減できる。また、照明手段は玄関子機ケースの縁部に沿って配置されるため、玄関子機ケースのデッドスペースを利用でき玄関子機を大型化することなく設けることが可能となる。
【図面の簡単な説明】
【００１１】
【図１】本発明に係るインターホン装置の玄関子機の一例を示す正面図である。
【図２】図１のＡ−Ａ線断面図である。
【図３】図１の一部カバーを外した状態を示し、（ａ）は正面図、（ｂ）は右側面図である。
【図４】照明部を分解した説明図である。
【図５】図４に示すＢ部の説明図であり、（ａ）は拡大図、（ｂ）は照明部を組み付けた図である。
【発明を実施するための形態】
【００１２】
以下、本発明を具体化した実施の形態を、図面を参照して詳細に説明する。図１は本発明に係るインターホン装置の玄関子機の一例を示す正面図であり、玄関子機１は来訪者を撮像するためのカメラ２、居住者を呼び出すための呼出ボタン３、居住者の音声を拡声するスピーカ４、夜間照明のための照明手段としての照明部５が玄関子機ケース（以下、単に「ケース」と称する）１０の前面に設けられている。カメラ２は上部中央に、呼出ボタン３は下部に、スピーカ４は中央付近にそれぞれ配置され、照明部５は左右隅部に上下に亘り長く配置されている。
尚、来訪者の音声を集音するマイクはケース１０の側部に配置（図示せず）されている。
【００１３】
図２は図１のＡ−Ａ線断面図であり、カメラ２の中心で切断した横断面を示している。図２に示すように、ケース１０は、前面に配置されるケース上１０ａと背部に配置されるケース下１０ｂとから成り、１１は壁面等に取り付けるための基台を示している。また、２１はカメラ２の一部を成して前面カバーを兼ねたレンズ、２２は撮像素子や映像処理回路（図示せず）が組み付けられたカメラ基板を示し、これらはケース１０内に収容されている。
【００１４】
ケース上１０ａの前面は、カメラ２のレンズ２１を頂部として左右は後方に傾斜形成され、ケース上１０ａの最も奥まった左右縁部に照明部５が設けられている。
照明部５は、ケース上１０ａの左右縁部に凹部を形成して照明収容部５ａを設け、その中に照明部５を構成する光透過体５１と光源であるＬＥＤ５２ａ（図４に示す）とが配置されている。また照明収容部５ａの前面は、ケース上１０ａの前面と一様な面を形成する透明なカバー１０ｃで覆われ、照明部５の外観を構成している。カバー１０ｃは、図２に示すようにケース１０の前面側部から側面の一部に至る幅を有してＬ字状の断面を有して形成されている。
こうして形成された照明部５は、図１に示すようにケース１０の高さのほぼ全域を使用して形成され、具体的には照明部５の高さとなるカバー１０ｃの長さＨ２は玄関子機の高さＨ１の８割以上を占める大きさと成っている。尚、カバー１０ｃの幅Ｗは、１０ｍｍ以上の寸法で形成されている。
【００１５】
このように、照明部５はケース１０の縁部に沿って配置されるため、ケース１０のデッドスペースを利用でき玄関子機１を大型化することなく設けることが可能となる。また、カメラ２やスピーカ４、更には呼出ボタン３等の配置を従来の位置から変更すること無く設置できる。
【００１６】
図３は照明部５を収容するカバー１０ｃを外してを内部を露出された状態を示し、（ａ）は正面図、（ｂ）は右側面図である。また図４は照明部５を抜き出して分解した状態を示している。図３、４に示すように、光透過体５１は円柱状に形成されている。そして、５２はＬＥＤ５２ａが組み付けられた基板、５３はリング状に形成されたゴム製のパッキンであり、照明部５は光透過体５１と基板５２に組み付けられたＬＥＤ５２ａとから構成されている。
光透過体５１は、長手方向の端部に照射された光が内部で散乱して円柱状の側部全体から散乱光が放射されるよう形成されており、この端部に対してＬＥＤ５２ａの光が照射されるよう基板５２は配置されている。
またパッキン５３は、光透過体５１の両端に外挿され、照明収容部５ａとケース１０内部との隙間を閉塞して、照明収容部５ａに入り込んだ雨水等がケース１０内へ更に浸入するのを防止するために設けられている。
【００１７】
図５はＢ部の説明図であり、図５（ａ）は拡大図、図５（ｂ）は照明部を組み付けた状態の拡大図を示している。図５に示すように、基板５２は照明収容部５ａとは独立してケース上１０ａに形成された基板収容部１１に組み込まれている。この基板収容部１１のＬＥＤ５２ａの位置は照明収容部５ａに向けて開放されており、ＬＥＤ５２ａの光が良好に光透過体５１の端部に照射されるよう構成されている。
そして、光透過体５１に取り付けられたパッキン５３により、基板収容部１１と照明収容部５ａとの間の隙間が閉塞され、基板収容部１１が照明収容部５ａから隔離されるよう構成されている。
尚、照明収容部５ａの上下端部にはパッキン５３を保持するパッキン保持部１２が設けられており、パッキン５３による基板収容部１１の閉塞を確実なものにしている。
【００１８】
このように、照明部５は円柱状の光透過体５１を有してそれが発光するため、点光源に比べて夜間撮影の際に十分な照度を確保しても眩しさを軽減できる。
また、発光素子であるＬＥＤ５２ａは、ケース１０の光透過体５１とは隔離された基板収容部１１に配置されるため、照明収容部５ａに雨水が浸入したり結露が発生してもＬＥＤ５２ａ及びＬＥＤ５２ａを組み付けた基板５２を雨水等から保護できる。
更に、ケース１０の８割以上の高さを使用した広い発光面積を確保すると共に、光透過体５１の両側に光源を備えることで、光透過体５１を良好に発光させることができる。
また、ケース１０の左右両端に上下に長い照明部５を設けることで、カメラ２の両側に照明を配置でき、撮像対象の来訪者に影が出難く、撮像した映像が確認し易い映像となる。
【００１９】
尚、上記実施形態では、照明部５をケース１０の高さのほぼ全域を使用して形成しているが、少なくともケース１０の高さの２分の１程度でも良く、点光源に比べて良好な照度を得ることができる。
また、左右に照明部５を設けているが、一方のみでも良い。
【符号の説明】
【００２０】
１・・玄関子機、２・・カメラ、３・・呼出ボタン、５・・照明部（照明手段）、５ａ・・照明収容部、１１・・基板収容部、５１・・光透過体、５２ａ・・ＬＥＤ（発光素子）、５３・・パッキン。
【図１】
2019047342.tif 000003
【図２】
2019047342.tif 000004
【図３】
2019047342.tif 000005
【図４】
2019047342.tif 000006
【図５】
2019047342.tif 000007